(57)【要約】  【課題】走行中の地名が曲名や、歌詞に含まれる楽曲を検索・配信することができるような機能を備えた楽曲管理装置が求められていた。  【解決手段】課題については、緯度と経度・地名を格納する地名記憶手段と、地名と楽曲情報を格納する楽曲記憶手段と、車載端末から受信した緯度、経度に対応する地名を前記地名記憶手段より抽出する手段と、抽出した地名に対応する楽曲情報を前記楽曲記憶手段より抽出する手段と、抽出した楽曲情報を前記車載端末に配信する手段と、を備えたことを特徴とする地名関連楽曲配信装置を提供することで解決される。【選択図】  図１
2005266104.tif 000002
【特許請求の範囲】
【請求項１】
緯度と経度・地名を格納する地名記憶手段と、
地名と楽曲情報を格納する楽曲記憶手段と、
車載端末から受信した緯度、経度に対応する地名を前記地名記憶手段より抽出する手段と、
抽出した地名に対応する楽曲情報を前記楽曲記憶手段より抽出する手段と、
抽出した楽曲情報を前記車載端末に送信する手段と、
を備えたことを特徴とする地名関連楽曲管理装置。
【請求項２】
地名と楽曲情報を格納する楽曲記憶手段と、
車載端末から受信した地名に対応する楽曲情報を前記楽曲記憶手段より抽出する手段と、
抽出した楽曲情報を前記車載端末に送信する手段と、
を備えたことを特徴とする地名関連楽曲管理装置。
【請求項３】
車載端末から受信した緯度、経度に対応する地名を緯度と経度・地名を格納する地名記憶手段より抽出するステップと、
抽出した地名に対応する楽曲情報を地名と楽曲情報を格納する楽曲記憶手段より抽出するステップと、
抽出した楽曲情報を前記車載端末に送信するステップと、
を備えたことを特徴とする地名関連楽曲管理方法。
【請求項４】
コンピュータに、
車載端末から受信した緯度、経度に対応する地名を緯度と経度・地名を格納する地名記憶手段より抽出するステップと、
抽出した地名に対応する楽曲情報を地名と楽曲情報を格納する楽曲記憶手段より抽出するステップと、
抽出した楽曲情報を前記車載端末に送信するステップと、
を実行させるための地名関連楽曲管理プログラム。
【請求項５】
コンピュータに、
車載端末から受信した緯度、経度に対応する地名を緯度と経度・地名を格納する地名記憶手段より抽出するステップと、
抽出した地名に対応する楽曲情報を地名と楽曲情報を格納する楽曲記憶手段より抽出するステップと、
抽出した楽曲情報を前記車載端末に送信するステップと、
を実行させるためのプログラムを格納したコンピュータ読み取り可能な記録媒体。
【発明の詳細な説明】
【技術分野】
【０００１】
本発明は、位置情報（地名）に関連する楽曲を検索・配信するための楽曲管理装置に関するものである。
【背景技術】
【０００２】
従来の楽曲管理装置（オーディオ配信センター）は、車両に搭載されたナビゲーション装置から送信された自車位置や平均速度、現在時刻などの車両の走行雰囲気に関連するデータに基づいてその車両に最も推薦度の高い楽曲を選択・配信するものだった。（例えば、特許文献１参照）
【特許文献１】特開２００３−８４７７４
【発明の開示】
【発明が解決しようとする課題】
【０００３】
前記楽曲管理装置の自車位置は、海や山などの特定地点からの距離を算出し、その距離に基づいて推薦度の高い楽曲を選択するものであったため、例えば、走行中の地名が曲名や、歌詞に含まれる楽曲を検索・配信することができなかった。このため、走行中の地名が曲名や歌詞に含まれる楽曲を検索・配信することができるような機能を備えた楽曲管理装置が求められていた。
【課題を解決するための手段】
【０００４】
前記課題については、緯度と経度・地名を格納する地名記憶手段と、地名と楽曲情報を格納する楽曲記憶手段と、車載端末から受信した緯度、経度に対応する地名を前記地名記憶手段より抽出する手段と、抽出した地名に対応する楽曲情報を前記楽曲記憶手段より抽出する手段と、抽出した楽曲情報を前記車載端末に送信する手段と、を備えたことを特徴とする地名関連楽曲配信装置を提供することで解決される。
【発明の効果】
【０００５】
楽曲管理装置において、走行中の地名が曲名や、歌詞に含まれる楽曲を検索・配信することができるような機能を提供することで、容易に走行中の地名に関連する楽曲を確認・再生することができるため、ともすれば退屈になりがちな移動時間を愉快に過ごすことができると言う効果がある。
【発明を実施するための最良の形態】
【０００６】
以下に、本発明による楽曲管理装置の第一の実施形態を図７、８を除く図面により詳細に説明する。図１は本発明の第一の実施形態を実現するためのシステム構成図である。同図において、グローバル・ポジショニング・システム（以下、GPSと略記する）衛星１０１と車載端末１０５・楽曲管理装置１０９は、プロセッサとメモリを備えるコンピュータである。GPS衛星１０１は、現在位置の測定を行うための信号を、衛星回線１０３を通じて定常的に発信するものであり、車載端末１０５は図示していないが付属のGPSアンテナを通じて受信した前記信号に基づいて現在位置の算出を行うと共に、無線回線１０７を通じて楽曲管理装置１０９に地名に関連する楽曲の検索・配信要求を行うためのものである。
【０００７】
また、楽曲管理装置１０９は、緯度と経度・地名を格納する地名DB１１１と、アーティスト名・曲名・歌詞・音源ファイル名を格納する楽曲DB１１３と、検索日時と検索地名・配信日時・配信曲名を格納する利用者DB１１５と、利用者からの要求に基づいて地名に関連する楽曲を検索・配信するための地名関連楽曲管理プログラム１１７と、を備える。
【０００８】
地名に関連する楽曲を検索・配信するサービスに契約している利用者が、地名に関連する楽曲を検索・配信を行った場合の処理を、図を用いて説明する。図２は地名関連楽曲管理プログラム１１７の動作を説明するフローチャート、図３のT３０１は地名ＤＢ１１１の具体的な内容を開示したものであり、例えば、緯度「35度33分00秒」と経度「139度33分00秒」で特定される地名として「神奈川県川崎市宮前区」と言ったデータが格納されている。
【０００９】
図３のＴ３０３は楽曲DB１１３具体的な内容を開示したものであり、例えば、アーティスト名「沖田  広之」と曲名「川崎ラブ」・歌詞「・・・川崎ラブ・・・」・音源ファイル名「kawasaki1.mp3」と言ったデータが格納されている。
【００１０】
図３のT３０５は利用者DB１１５の具体的な内容を開示したものであり、例えば、検索日時「2004年03月09日10時24分15秒」と検索地名「厚木」・配信日時「2004年03月09日10時25分15秒」・配信曲名「アツギ」と言ったデータが格納されている。
【００１１】
図４と図５は利用者が、地名に関連する楽曲を検索・配信を行った場合の車載端末１０５の画面例である。
【００１２】
ここで図２により、利用者からの要求に基づいて地名に関連する楽曲を検索・配信するための楽曲管理装置１０９にインストールされている地名関連楽曲管理プログラム１１７の動作を説明する。
【００１３】
地名関連楽曲管理プログラム１１７は、Ｓ２０１で車載端末１０５からの前記車載端末１０５を搭載している車両が現在走行している場所の地名に関連する楽曲の検索要求を受信する。
【００１４】
前記地名に関連する楽曲の検索要求は、前記車載端末１０５から送信される緯度と経度を含むものである。
【００１５】
ＵＩ４０１は、地名に関連する楽曲を検索・配信するサービスに契約している利用者が、東名高速の厚木I.C付近を走行中に付近の地名に関連する楽曲を検索する場合の車載端末１０５の画面例である。
【００１６】
Ｓ２０３では、前記車載端末１０５から受信した緯度と経度に基づいて前記地名ＤＢ１１１を検索し、前記緯度・経度で特定される地名を抽出する。
【００１７】
Ｓ２０５では、抽出した地名に基づいて前記楽曲DB１１３を検索し、前記地名を曲名、又歌詞に含む楽曲を抽出する。
【００１８】
S２０７では、抽出した地名を曲名、又歌詞に含む楽曲が前記楽曲DB１１３中に存在したかどうかの判定を行う。
【００１９】
前記Ｓ２０７の判定の結果、前記地名を曲名、又歌詞に含む楽曲が前記楽曲DB１１３中に存在した場合、Ｓ２０９では、抽出した地名を曲名、又歌詞に含む楽曲情報を地名関連楽曲検索結果として前記車載端末１０５に送信する。
【００２０】
前記Ｓ２０７の判定の結果、前記地名を曲名、又歌詞に含む楽曲が前記楽曲DB１１３中に存在しなかった場合、Ｓ２２１では、隣接する地名に関連する楽曲検索を既に実施しているかどうかの判定を行う。
【００２１】
S２１１では、前記サービスの課金のために、前記地名関連楽曲検索結果として、検索日時と検索要求を受けた地名を利用者ＤＢ１１５に格納する。前記検索日時は、図示していないが楽曲管理装置１０９が備える時計管理機能を用いて取得したものである。
【００２２】
ＵＩ４０３は、地名に関連する楽曲を検索・配信するサービスに契約している利用者が、東名高速の厚木I.C付近を走行中に付近の地名に関連する楽曲を検索した結果を受信した場合の車載端末１０５の画面例である。
【００２３】
S２１３では、車載端末１０５からの前記地名関連楽曲検索結果の楽曲に対する配信要求を受信する。
【００２４】
ＵＩ５０１は、地名に関連する楽曲を検索・配信するサービスに契約している利用者が、東名高速の厚木I.C付近を走行中に付近の地名に関連する楽曲を検索し、その検索結果として表示された楽曲の配信要求を受信した場合の車載端末１０５の画面例である。
【００２５】
S２１５では、前記配信要求に含まれる楽曲名に基づいて前記楽曲DB１１３を検索し、前記楽曲名に対応する音源ファイルを抽出する。
【００２６】
S２１７では、前記音源ファイルを前記車載端末１０５に配信する。
【００２７】
この音源ファイルを車載端末１０５で再生することにより、利用者は地名に関連する楽曲を楽しむことができる。
【００２８】
S２１９で前記地名関連楽曲配信結果として、検索日時は図示していないが楽曲管理装置が備える時刻管理機能を用いてＳ２１７を行った時刻と前記配信要求のあった楽曲名を利用者ＤＢ１１３に格納する。
【００２９】
Ｓ２２１の判定の結果、隣接する地名に関連する楽曲を既に実施している場合、Ｓ２２９で隣接の地名関連楽曲の検索結果として、図示していないが対象楽曲なしの旨の情報を前記車載端末１０５に送信する。
【００３０】
Ｓ２２１の判定の結果、隣接する地名に関連する楽曲を既に実施していない場合、Ｓ２２３で隣接する地名に関連する楽曲を検索するかどうかの確認要求を前記車載端末１０５に送信する。
【００３１】
Ｓ２２５では、前記車載端末１０５から前記確認要求に対応する検索要求を受信する。
【００３２】
Ｓ２２７では、Ｓ２０３で抽出した地名に隣接する地名を前記地名ＤＢ１１１から抽出し、以降、Ｓ２２７で抽出した隣接する地名を入力情報としてＳ２０５以下の地名関連楽曲検索・配信処理を行う。
【００３３】
ＵＩ５０３は、地名に関連する楽曲を検索・配信するサービスに契約している利用者が、東名高速の御殿場I.C付近を走行中に隣接地名を含めた地名に関連する楽曲を検索した結果を受信した場合の車載端末１０５の画面例である。
【００３４】
以下に、本発明による楽曲管理装置の第二の実施形態を主に図６と図７・図８を用いて詳細に説明する。図６は本発明の第二の実施形態を実現するためのシステム構成図である。同図は車載端末１０５が、GPS衛星より受信した現在位置の測定を行うための信号に基づいて緯度・経度を算出し、前記緯度・経度に基づいて地名算出処理、及び算出した地名に基づいて地名関連楽曲の検索・配信要求を行うための地名関連楽曲管理プログラム１１７ｂを備えた点と、前記車載端末１０５が前記地名算出処理を行うことに伴い、楽曲管理装置１０９中の地名関連楽曲管理プログラム１１７ｂが前記地名算出処理を備えていない点を除いて、第一の実施形態で説明した図１と同様のものである。
【００３５】
また、図７は、前記車載端末１０５が、GPS衛星より受信した緯度・経度に基づいて地名算出処理を行うと共に、算出した地名に基づいた地面関連楽曲の検索・配信処理を行うための地名関連楽曲管理プログラム１１７ａの動作を説明するフローチャート、図８は、前記地名算出処理に相当する図１のＳ２０３を除いた地名関連楽曲管理プログラム１１７ｂの動作を説明するフローチャートである。
【００３６】
ここで図７により、利用者からの要求に基づいて地名に関連する楽曲を検索・配信するための車載端末１０５にインストールされている地名関連楽曲管理プログラム１１７aの動作を説明する。
【００３７】
地名関連楽曲管理プログラム１１７aは、Ｓ２０１ａで利用者からの前記車載端末１０５を搭載している車両が現在走行している場所の地名に関連する楽曲の検索要求を受信する。
【００３８】
Ｓ２０３ａでは、GPS衛星から受信した現在位置の測定を行うための信号に基づいて算出した緯度と経度に基づいて前記車載端末１０５中の地名ＤＢ１１１を検索し、前記緯度・経度で特定される地名を抽出する。
【００３９】
Ｓ２０４では、前記緯度・経度と前記地名を含む前記地名に関連する楽曲の検索要求を楽曲管理装置１０９に送信する。
【００４０】
Ｓ２０８では、前記地名に関連する楽曲の検索要求に対応する検索結果を楽曲管理装置１０９から受信する。
【００４１】
Ｓ２１３ａでは、前記地名に関連する楽曲の検索要求に対応する検索結果の楽曲に対する配信要求を楽曲管理装置１０９に送信する。
【００４２】
Ｓ２１８では、前記地名に関連する楽曲の検索要求に対応する検索結果の楽曲の音源ファイルを楽曲管理装置１０９から受信する。
【００４３】
この音源ファイルを車載端末１０５で再生することにより、利用者は地名に関連する楽曲を楽しむことができる。
【００４４】
次に図８により、利用者からの要求に基づいて地名に関連する楽曲を検索・配信するための楽曲管理装置１０９にインストールされている地名関連楽曲管理プログラム１１７ｂの動作を説明する。
【００４５】
地名関連楽曲管理プログラム１１７ｂは、Ｓ２０１ｂで車載端末１０５からの前記車載端末１０５を搭載している車両が現在走行している場所の地名に関連する楽曲の検索要求を受信する。
【００４６】
Ｓ２０５ｂでは、受信した地名に基づいて前記楽曲DB１１３を検索し、前記地名を曲名、又歌詞に含む楽曲を抽出する。
【００４７】
以降、図８のＳ２０５ｂ以降の処理は図２のＳ２０５以下の処理と同様のものである。
（付記１）（１）
緯度と経度・地名を格納する地名記憶手段と、
地名と楽曲情報を格納する楽曲記憶手段と、
車載端末から受信した緯度、経度に対応する地名を前記地名記憶手段より抽出する手段と、
抽出した地名に対応する楽曲情報を前記楽曲記憶手段より抽出する手段と、
抽出した楽曲情報を前記車載端末に送信する手段と、
を備えたことを特徴とする地名関連楽曲管理装置。
（付記２）（２）
地名と楽曲情報を格納する楽曲記憶手段と、
車載端末から受信した地名に対応する楽曲情報を前記楽曲記憶手段より抽出する手段と、
抽出した楽曲情報を前記車載端末に送信する手段と、
を備えたことを特徴とする地名関連楽曲管理装置。
（付記３）
緯度と経度・地名を格納する地名記憶手段と、
地名と音源ファイルを含む楽曲情報を格納する楽曲記憶手段と、
車載端末から受信した緯度、経度に対応する地名を前記地名記憶手段より抽出する手段と、
抽出した地名に対応する楽曲情報を前記楽曲記憶手段より抽出する手段と、
抽出した楽曲情報に対応する音源ファイルの配信確認を含む前記楽曲情報を前記車載端末に送信する手段と、
前記音源ファイルの配信要求を受信した場合、前記楽曲記憶手段から対応する音源ファイルを抽出し、抽出した音源ファイルを前記車載端末に配信する手段と、
を備えたことを特徴とする地名楽曲管理装置。
（付記４）
地名と音源ファイルを含む楽曲情報を格納する楽曲記憶手段と、
車載端末から受信した地名に対応する楽曲情報を前記楽曲記憶手段より抽出する手段と、
抽出した楽曲情報に対応する音源ファイルの配信確認を含む前記楽曲情報を前記車載端末に送信する手段と、
前記音源ファイルの配信要求を受信した場合、前記楽曲記憶手段から対応する音源ファイルを抽出し、抽出した音源ファイルを前記車載端末に配信する手段と、
を備えたことを特徴とする地名楽曲管理装置。
【００４８】
緯度と経度・地名を格納する地名記憶手段と、
地名と楽曲情報を格納する楽曲記憶手段と、
車載端末から受信した緯度、経度に対応する地名を前記地名記憶手段より抽出する手段と、
抽出した地名に対応する楽曲情報を前記楽曲記憶手段より抽出する手段と、
抽出した楽曲情報を前記車載端末に配信する手段と、
を備えたことを特徴とする地名関連楽曲配信装置。
（付記５）（３）
車載端末から受信した緯度、経度に対応する地名を緯度と経度・地名を格納する地名記憶手段より抽出するステップと、
抽出した地名に対応する楽曲情報を地名と楽曲情報を格納する楽曲記憶手段より抽出するステップと、
抽出した楽曲情報を前記車載端末に送信するステップと、
を備えたことを特徴とする地名関連楽曲管理方法。
（付記６）
車載端末から受信した地名に対応する楽曲情報を地名と楽曲情報を格納する楽曲記憶手段より抽出するステップと、
抽出した楽曲情報を前記車載端末に送信するステップと、
を備えたことを特徴とする地名関連楽曲管理方法。
（付記７）（４）
コンピュータに、
車載端末から受信した緯度、経度に対応する地名を緯度と経度・地名を格納する地名記憶手段より抽出するステップと、
抽出した地名に対応する楽曲情報を地名と楽曲情報を格納する楽曲記憶手段より抽出するステップと、
抽出した楽曲情報を前記車載端末に送信するステップと、
を実行させるための地名関連楽曲管理プログラム。
（付記８）
コンピュータに、
車載端末から受信した地名に対応する楽曲情報を地名と楽曲情報を格納する楽曲記憶手段より抽出するステップと、
抽出した楽曲情報を前記車載端末に送信するステップと、
を実行させるための地名関連楽曲管理プログラム。
（付記９）（５）
コンピュータに、
車載端末から受信した緯度、経度に対応する地名を緯度と経度・地名を格納する地名記憶手段より抽出するステップと、
抽出した地名に対応する楽曲情報を地名と楽曲情報を格納する楽曲記憶手段より抽出するステップと、
抽出した楽曲情報を前記車載端末に送信するステップと、
を実行させるためのプログラムを格納したコンピュータ読み取り可能な記録媒体。
（付記１０）
コンピュータに、
車載端末から受信した地名に対応する楽曲情報を地名と楽曲情報を格納する楽曲記憶手段より抽出するステップと、
抽出した楽曲情報を前記車載端末に送信するステップと、
を実行させるためのプログラムを格納したコンピュータ読み取り可能な記録媒体。
【図面の簡単な説明】
【００４９】
【図１】本発明の第一実施形態例のシステム構成を説明する図。
【図２】本発明の第一実施形態例の地名関連楽曲管理プログラムを説明する図。
【図３】本発明の第一実施形態例の地名ＤＢ、楽曲ＤＢ、利用者ＤＢを説明する図。
【図４】本発明の第一実施形態例の車載端末画面例。（その１）
【図５】本発明の第一実施形態例の車載端末画面例。（その２）
【図６】本発明の第二実施形態例のシステム構成を説明する図。
【図７】本発明の第二実施形態例の地名関連楽曲管理プログラムを説明する図。（車載端末側）
【図８】本発明の第二実施形態例の地名関連楽曲管理プログラムを説明する図。（楽曲管理装置側）
【符号の説明】
【００５０】
１０１  本発明の第一実施形態のGPS衛星
１０３  本発明の第一実施形態の衛星回線
１０５  本発明の第一実施形態の車載端末
１０７  本発明の第一実施形態の無線回線
１０９  本発明の第一実施形態の地名関連楽曲管理装置
１１１  本発明の第一実施形態の地名ＤＢ
１１３  本発明の第一実施形態の楽曲ＤＢ
１１５  本発明の第一実施形態の利用者ＤＢ
１１７  本発明の第一実施形態の地名関連楽曲管理プログラム
【図１】
2005266104.tif 000003
【図２】
2005266104.tif 000004
【図３】
2005266104.tif 000005
【図４】
2005266104.tif 000006
【図５】
2005266104.tif 000007
【図６】
2005266104.tif 000008
【図７】
2005266104.tif 000009
【図８】
2005266104.tif 000010